(57)【要約】【課題】本発明は、コンテンツ提供装置、コンテンツ提供方法、コンテンツ提供方法のプログラム及びコンテンツ提供方法のプログラムを記録した記録媒体に関し、例えばパーソナルコンピュータに適用して、従来に比してコンテンツを鑑賞し易くする。【解決手段】本発明は、所定の操作により映像を拡大して表示して、他の処理によるコンテンツの提供等を中止すると共に、拡大した表示に係る処理についてのみ操作を受け付ける。【選択図】        図１
2004318298.tif 000002
【特許請求の範囲】
【請求項１】
複数の処理に係るウインドウを表示画面にそれぞれ表示して、マルチタスクにより前記複数の処理を同時並列的に実行可能であって、前記処理の何れかによりコンテンツを提供するコンテンツ提供装置において、
全画面切り換え操作により、前記コンテンツの提供に供する処理を全画面モードに切り換えて、
前記コンテンツの提供の処理に係るウインドウ中の表示を、前記表示画面に拡大して表示し、
他の処理による映像及び又は音声の通知を中止し、
前記全画面モードによる処理についてのみ操作を受け付ける
ことを特徴とするコンテンツ提供装置。
【請求項２】
前記キーボードが、前記表示画面の下部に保持され、
前記全画面切り換えの操作が、前記キーボードの途中からの折り畳みである
ことを特徴とする請求項１に記載のコンテンツ提供装置。
【請求項３】
前記コンテンツの提供に供する処理を複数種類より選択可能であって、
前記全画面モードへの切り換えに係る処理が、前記リモートコマンダの操作により前記複数種類の処理より選択された処理である
ことを特徴とする請求項１に記載のコンテンツ提供装置。
【請求項４】
前記全画面モードによる処理についてのみ受け付ける操作が、リモートコマンダの操作である
ことを特徴とする請求項１に記載のコンテンツ提供装置。
【請求項５】
複数の処理に係るウインドウを表示画面にそれぞれ表示して、マルチタスクにより前記複数の処理を同時並列的に実行可能であって、前記処理の何れかによりコンテンツを提供するコンテンツ提供装置を用いたコンテンツ提供方法において、
全画面切り換え操作により、前記コンテンツの提供に供する処理を全画面モードに切り換えて、
前記コンテンツの提供の処理に係るウインドウ中の表示を、前記表示画面に拡大して表示し、
他の処理による映像及び又は音声の通知を中止し、
前記全画面モードによる処理についてのみ操作を受け付ける
ことを特徴とするコンテンツ提供方法。
【請求項６】
所定の処理手順の実行によりコンテンツ提供装置の動作を制御するコンテンツ提供方法のプログラムであって、
前記コンテンツ提供装置は、
複数の処理に係るウインドウを表示画面にそれぞれ表示して、マルチタスクにより前記複数の処理を同時並列的に実行可能であって、前記処理の何れかによりユーザーにコンテンツを提供し、
前記処理手順は、
全画面切り換え操作により、前記コンテンツの提供に供する処理を全画面モードに切り換えるステップを有し、
前記全画面モードにおいて、
前記コンテンツの提供の処理に係るウインドウ中の表示を、前記表示画面に拡大して表示し、
他の処理による映像及び又は音声の通知を中止し、
前記全画面モードによる処理についてのみ操作を受け付ける
ことを特徴とするコンテンツ提供方法のプログラム。
【請求項７】
所定の処理手順の実行によりコンテンツ提供装置の動作を制御するコンテンツ提供方法のプログラムを記録した記録媒体であって、
前記コンテンツ提供装置は、
複数の処理に係るウインドウを表示画面にそれぞれ表示して、マルチタスクにより前記複数の処理を同時並列的に実行可能であって、前記処理の何れかによりユーザーにコンテンツを提供し、
前記処理手順は、
全画面切り換え操作により、前記コンテンツの提供に供する処理を全画面モードに切り換えるステップを有し、
前記全画面モードにおいて、
前記コンテンツの提供の処理に係るウインドウ中の表示を、前記表示画面に拡大して表示し、
他の処理による映像及び又は音声の通知を中止し、
前記全画面モードによる処理についてのみ操作を受け付ける
ことを特徴とするコンテンツ提供方法のプログラムを記録した記録媒体。
【発明の詳細な説明】
【０００１】
【発明の属する技術分野】
本発明は、コンテンツ提供装置、コンテンツ提供方法、コンテンツ提供方法のプログラム及びコンテンツ提供方法のプログラムを記録した記録媒体に関し、例えばパーソナルコンピュータに適用することができる。本発明は、所定の操作により映像を拡大して表示して、他の処理によるコンテンツの提供等を中止すると共に、リモートコマンダ等による操作を拡大した表示に係る処理についてのみ受け付けることにより、従来に比してコンテンツを鑑賞し易くする。
【０００２】
【従来の技術】
従来、パーソナルコンピュータにおいては、映像コンテンツ、音楽コンテンツ等を内蔵のハードディスク装置に記録してユーザーにコンテンツを提供するコンテンツ提供装置として利用できるようになされている。このためパーソナルコンピュータにおいては、このような種々のコンテンツを再生する例えばＷｉｎｄｏｗｓ  Ｍｅｄｉａ  Ｃｅｎｔｅｒ  Ｅｄｉｔｉｏｎ等のアプリケーションプログラムが提供されるようになされている。
【０００３】
このようなアプリケーションプログラムにおいては、起動により、テレビジョン受像機に似通ったデザインによるウインドウを表示し、ユーザーにより選択されたファイルの再生画像を再生、早送り、一時停止のボタン、ツールバー等と共にこのウインドウ中に表示するようになされ、これによりコンピュータの表示画面の中に、あたかもテレビジョン受像機が表示されているかのように表示画面を形成して映像コンテンツを提供するようになされている。
【０００４】
またこのようなアプリケーションプログラムにおいては、表計算ソフト等の他のアプリケーションプログラムとの間でユーザーインターフェースの統一が図られ、これによりこのようなウインドウの上部に設けられたボタンの操作により、さらにはマウスの操作によりウインドウの周囲を掴んでドラッグすることにより、表示を拡大、縮小できるようになされている。また他のアプリケーションプログラムによる表示とは異なり、ツールバー等の操作によりこのような縁取り、ボタン、ツールバー等の表示を省略して映像コンテンツをコンピュータの表示画面全面に表示するようになされており、このようにして表示している場合には、キーボードの操作により表示を元に戻して、一時停止等を操作できるようになされている。
【０００５】
また特開２００３−９１３４２号公報においては、この種のアプリケーションプログラムを複数種類実行して表示画面に対応する複数のウインドウを表示している場合に、ユーザーによるウンイドウの選択により、他のウインドウに係るアプリケーションプログラムについては、コンテンツの処理を中止し、これにより操作性を向上する方法が提案されるようになされている。
【０００６】
またこのようなコンピュータにおいては、例えば特開２０００−３０５７００号公報に開示のように、キーボードカバーをキーボードに設けることにより、また例えば特開２０００−５６９０３号公報に開示のように、キーボードを立位状態とすることにより、キーボードを防塵し、さらにはキーボードを効率良く収納する方法が提案されるようになされている。
【０００７】
従来、パーソナルコンピュータにおいては、このようなキーボードの収納に係る構成において、表示画面の前面に、回動可能にキーボードを保持し、キーボードを操作しない場合には、キーボードを畳んで表示画面を略下側半分を隠すものが提供されるようになされている。このようなパーソナルコンピュータにおいては、このようにキーボードを畳んで表示画面を一部隠した状態で、残りの表示画面に時計を表示し、これにより一部露出する表示画面を有効に利用して、インテリアに役立てるようになされている。
【０００８】
【特許文献１】
特開２００３−９１３４２号公報
【特許文献２】
特開２０００−３０５７００号公報
【特許文献３】
特開２０００−５６９０３号公報
【０００９】
【発明が解決しようとする課題】
ところでこのようなパーソナルコンピュータによるコンテンツの鑑賞においては、コンテンツを鑑賞し辛い問題がある。
【００１０】
すなわちこの種のアプリケーションプログラムにおいては、ウインドウによりコンテンツを表示することにより、コンテンツの表示に表示画面を有効に利用し切れておらず、これにより例えば同一サイズのテレビジョン受像機と比較した場合、コンテンツを鑑賞し辛い問題がある。因みに、ツールバー等の操作により縁取り、ボタン等の表示を省略して映像コンテンツをコンピュータの表示画面全面に表示することにより、表示可能領域を有効に利用して表示し得るようにはなるものの、この場合には、キーボードの操作により表示を元に戻して、一時停止等の操作を実行しなければならなくなる。
【００１１】
特に、コンテンツ専用の処理装置であるテレビジョン受像機等においては、表示画面から一定の距離だけ離れてリモートコマンダにより操作することを前提としているのに対し、コンピュータにおいては、表示画面に対峙してマウス等のポインティングディバイスにより操作することを前提としていることにより、リモートコマンダにより操作する場合に、コンテンツ専用の処理装置によりコンテンツを鑑賞する場合に比して、著しくコンテンツを鑑賞し辛くなる。
【００１２】
具体的に、起動によりウインドウが小さく表示される場合もあり、この場合には表示画面が見辛くなる。また特にマルチタスクにより複数のウインドウを表示している場合には、リモートコマンダにより何れのウインドウを操作し得るのか判断が困難になる。またマウスによる操作を前提としていることにより、リモートコマンダによっては、操作できないボタン等も表示されることになり、結局、この場合もユーザーの操作を惑わすことになる。
【００１３】
しかしてこのようなパーソナルコンピュータにおいても、リモートコマンダにより操作する場合には、マウスを主体とした操作に代えて、リモートコマンダを主体としたユーザーインターフェースを提供して、コンテンツを鑑賞し易くすることができると考えられる。
【００１４】
本発明は以上の点を考慮してなされたもので、従来に比してコンテンツを鑑賞し易くすることができるコンテンツ提供装置、コンテンツ提供方法、コンテンツ提供方法のプログラム及びコンテンツ提供方法のプログラムを記録した記録媒体を提案しようとするものである。
【００１５】
【課題を解決するための手段】
かかる課題を解決するため請求項１の発明においては、複数の処理に係るウインドウを表示画面にそれぞれ表示して、マルチタスクにより複数の処理を同時並列的に実行可能であって、これらの処理の何れかによりコンテンツを提供するコンテンツ提供装置に適用して、全画面切り換え操作により、コンテンツの提供に供する処理を全画面モードに切り換えて、コンテンツの提供の処理に係るウインドウ中の表示を、表示画面に拡大して表示し、他の処理による映像及び又は音声の通知を中止し、全画面モードによる処理についてのみ操作を受け付ける。
【００１６】
また請求項５の発明においては、複数の処理に係るウインドウを表示画面にそれぞれ表示して、マルチタスクにより複数の処理を同時並列的に実行可能であって、これらの処理の何れかによりユーザーにコンテンツを提供するコンテンツ提供装置を用いたコンテンツ提供方法に適用して、全画面切り換え操作により、コンテンツの提供に供する処理を全画面モードに切り換えて、コンテンツの提供の処理に係るウインドウ中の表示を、表示画面に拡大して表示し、他の処理による映像及び又は音声の通知を中止し、全画面モードによる処理についてのみ操作を受け付ける。
【００１７】
また請求項６の発明においては、所定の処理手順の実行によりコンテンツ提供装置の動作を制御するコンテンツ提供方法のプログラムに適用して、この処理手順は、全画面切り換え操作により、コンテンツの提供に供する処理を全画面モードに切り換えるステップを有し、この全画面モードにおいて、コンテンツの提供の処理に係るウインドウ中の表示を、表示画面に拡大して表示し、他の処理による映像及び又は音声の通知を中止し、全画面モードによる処理についてのみ操作を受け付ける。
【００１８】
また請求項７の発明においては、所定の処理手順の実行によりコンテンツ提供装置の動作を制御するコンテンツ提供方法のプログラムを記録した記録媒体に適用して、この処理手順は、全画面切り換え操作により、コンテンツの提供に供する処理を全画面モードに切り換えるステップを有し、コンテンツの提供の処理に係るウインドウ中の表示を、表示画面に拡大して表示し、他の処理による映像及び又は音声の通知を中止し、全画面モードによる処理についてのみ操作を受け付ける。
【００１９】
請求項１の構成によれば、コンテンツ提供装置に適用して、全画面切り換え操作により、コンテンツの提供に供する処理を全画面モードに切り換えて、コンテンツの提供の処理に係るウインドウ中の表示を、表示画面に拡大して表示し、他の処理による映像及び又は音声の通知を中止し、全画面モードによる処理についてのみ操作を受け付けることにより、拡大した表示によりコンテンツを鑑賞し易くし得、また他の処理による映像及び又は音声が通知が通知されなくなることにより、拡大の表示に係るコンテンツの鑑賞に集中することができる。またリモートコマンダ等による操作については、この拡大の表示に係る処理につてのみ操作し得ることにより、何れの処理に係る操作か迷うことなく操作し得、リモートコマンダを主体としたユーザーインターフェースを構築し得、これらにより従来に比してコンテンツを鑑賞し易くすることができる。
【００２０】
これにより請求項４、請求項５、請求項６の構成によれば、従来に比してコンテンツを鑑賞し易くすることができるコンテンツ提供方法、コンテンツ提供方法のプログラム及びコンテンツ提供方法のプログラムを記録した記録媒体を提供することができる。
【００２１】
【発明の実施の形態】
以下、適宜図面を参照しながら本発明の実施の形態を詳述する。
【００２２】
（１）実施の形態の構成
図２は、本発明の実施の形態に係るコンテンツ提供装置であるコンピュータを示す斜視図であり、図３は、その右側面図である。コンピュータ１は、本体装置２の前面に表示部３が回動自在に保持される。ここで本体装置２は、このコンピュータ１の中央処理ユニット、ハードディスク装置等が収納され、側面に、メモリカードのスロット４、テレビジョン放送用のアンテナケーブルを接続するコネクタ５、オーディオ信号及びビデオ信号の入出力端子６、ＵＳＢ（Ｕｎｉｖｅｒｓａｌ  Ｓｅｒｉａｌ  Ｂｕｓ）のコネクタ７等が設けられるようになされている。これに対して表示部３は、液晶表示パネル８の両側にスピーカ９Ｌ、９Ｒを配置して構成される。これによりコンピュータ１は、表示部３を所望の傾きに傾けて、表示部３に表示される画像を目視できるようになされている。
【００２３】
またこのコンピュータ１においては、この表示部３の下部にキーボード部１０が回動自在に保持され、これにより図２（Ａ）に示すように、キーボード部１０を根元部分より折り畳んでキーボード部１０を防塵し、さらにはキーボード部１０を効率良く収納できるようになされている。コンピュータ１は、このようにキーボード部１０を根元部分より折り畳んだ状態で、表示画面の略下半分がキーボード部１０により覆い隠されるように構成される。
【００２４】
これによりコンピュータ１においては、このようにして表示画面の一部をキーボード部１０で覆い隠して露出する領域に時計を表示してインテリアに役立てることができるようになされ、さらにはこの状態で音楽コンテンツを鑑賞できるようになされている。また図２（Ｂ）に示すように、このようにしてキーボード部１０を根元で折り畳んだ状態からキーボード部１０を回動させて、従来のコンピュータと同様に、キーボードを操作できるようになされている。
【００２５】
またキーボード部１０においては、図２（Ｃ）及び図３に示すように、ほぼ中央部分で折り畳むことができるように構成され、これによりキーボード部１０を途中で折り畳んで、キーボード部１０を防塵し、さらには表示画面を何ら隠すことなく、キーボード部１０を効率良く収納できるようになされている。コンピュータ１では、この状態で、リモートコマンダ１２の操作等により音楽コンテンツ、映像コンテンツを鑑賞できるようになされている。
【００２６】
図４に示すように、表示部３は、キーボード部１０の根元部分を回動自在に保持する回動軸１３が設けられ、この回動軸１３に近接して押圧スイッチ１４が設けられる。またこの回動軸１３には、キーボード部１０と共に回動する突起１５が設けられ、図４（Ａ）に示すように、キーボード部１０を完全に開いた状態で、この突起１５により押圧スイッチ１４を押圧するようになされている。またこのように完全に開いた状態よりキーボード部１０を回動させると、図４（Ｂ）に示すように、突起１５による押圧スイッチ１４の押圧が停止するようになされている。これによりコンピュータ１においては、この押圧スイッチ１４によりキーボード部１０の根元部分からの折り畳みを検出できるようになされている。
【００２７】
また図５に示すように、キーボード部１０においては、先端側の部位１０Ａを両側より軸支するように形成され、この軸支に係る回動軸１７に近接して所定のロック機構が設けられ、このロック機構により先端側の部位１０Ａを完全に開いた状態に保持できるようになされている。また両側面には、このロック機構によるロックを解除する押しボタン１８が設けられ、これにより両手によりこの押しボタン１８を押圧して、キーボード部１０を途中で折り畳むことができるようになされている。
【００２８】
キーボード部１０においては、回動軸１７に近接して押圧スイッチ１９が設けられ、先端側の部位１０Ａを完全に開いた状態で、この押圧スイッチ１９を押圧するように先端側の部位１０Ａが形成される。これによりキーボード部１０においては、この押圧スイッチ１９によりキーボード部１０の途中からの折り畳みを検出できるようになされている。
【００２９】
またキーボード部１０においては、図６に背面側を示すように、先端側の部位１０Ａの背面に、５個の押圧スイッチ２０、２１Ｄ、２１Ｕ、２２Ｄ、２２Ｕが並んで設けられる。ここでこれら押圧スイッチ２０、２１Ｄ、２１Ｕ、２２Ｄ、２２Ｕは、それぞれ内蔵の発光ダイオードにより押圧する操作子が点灯するように構成され、リモートコマンダ１２の対応する操作子を操作可能な場合に、さらにはこれら押圧スイッチ２０、２１Ｄ、２１Ｕ、２２Ｄ、２２Ｕがそれぞれ操作可能な場合に、それぞれ操作子が点灯するようになされ、これによりキーボード部１０を途中から折り畳んだ状態で、さらにはキーボード部１０を根元より折り畳んだ状態で、コンピュータ１の操作を簡略化できるようになされている。
【００３０】
ここで左端の押圧スイッチ２０は、後述するテレビに係る放送受信ソフトを起動可能な場合に点灯する。また続く押圧スイッチ２１Ｄ、２１Ｕは、それぞれチャンネルのダウン、アップを操作可能な場合に点灯する。また続く押圧スイッチ２２Ｄ、２２Ｕは、それぞれ音量のダウン、アップを操作可能な場合に点灯する。これによりこのコンピュータ１においては、これら押圧スイッチ２０〜２２Ｕの点灯により簡易にリモートコマンダ１２、押圧スイッチ２０〜２２Ｕを操作して、テレビジョン受像機等のコンテンツ鑑賞用の専用装置を操作する場合と同様の使い勝手を醸し出すことができるようになされている。
【００３１】
図７は、リモートコマンダ１２を示す平面図である。ここでリモートコマンダ１２は、通常のテレビジョン受像機のリモートコマンダと兼用できるようになされ、一端に、赤外線による遠隔制御信号を送出する発光部３０が設けられる。またこの発光部３０に続いて、消音の操作子３１、スタンバイの操作子３２が設けられ、続いてリモートコマンダ１２をテレビジョン受像機用とコンピュータ用とで切り換える操作子３３、複数台のコンピュータのうちから操作対象のコンピュータを選択する操作子３４が設けられる。
【００３２】
また続いてチャンネル選択用のテンキー３５が設けられ、特定のアプリケーションプログラムに係る操作子３６が設けられる。ここでこの特定アプリケーションプログラムに係る操作子３６は、このアプリケーションプログラムを選択する選択の操作子３６Ａ、選択されたアプリケーションプログラムの起動を指示する起動の操作子３６Ｂ、アプリケーションプログラムの終了を指示する終了の操作子３６Ｃにより構成される。また続いてこれらの特定アプリケーションプログラムのうちの、所定のアプリケーションプログラムの機能切り換えの操作子３６Ｄが設けられる。リモートコマンダ１２は、これら操作子３６Ａ〜３６Ｃの操作により、コンテンツの鑑賞に使用する特定アプリケーションプログラムを簡易に操作できるようになされている。
【００３３】
続いてリモートコマンダ１２は、テレビジョン受像機の入力切り換えの操作子３７、画面サイズの切り換え操作子３８、二カ国語放送等に係る音声切り換えの操作子３９が設けられ、音量のアップダウンの操作子４０、チャンネルのアップダウンの操作子４１が設けられる。
【００３４】
また続いてコンピュータ１をコンテンツの記録再生装置として使用する特定アプリケーションプログラムに係る記録、再生に関係する操作子４２が設けられる。ここでこの操作子４２は、発光部３０側の一列目に、字幕、画面表示、入力切り換え等の操作子４３が設けられ、続いて録画、録画モード、録画停止の操作子４４が設けられる。また続いて巻き戻し、早送り、後ろ方向及び前方向へのスキップの操作子４５が設けられ、続いて再生停止、再生、一時停止の操作子４６が設けられる。また続いてツールバー、タイトルバーの表示操作子４７、メニュー表示の操作子４８が設けられ、カーソルを操作し、メニューを選択する操作子４９、決定の操作子５０、キャンセルの操作子５１、戻るの操作子５２が設けられるようになされている。
【００３５】
このため図８に示すように、リモートコマンダ１２においては、図示しないインターフェースを介してこれら操作子３１〜５２の操作を中央処理ユニット（ＣＰＵ）６０により検出し、この検出結果に基づく中央処理ユニット６０による発光部３０の制御により、このコンピュータ１、テレビジョン受像機に赤外線による遠隔制御信号を出力するようになされている。
【００３６】
しかしてコンピュータ１において、リモコン受信部６２は、この遠隔制御信号を受信し、入出力インターフェース６３は、バス６４を介してこのリモコン受信部６２の受信結果を中央処理ユニット（ＣＰＵ）６５に通知する。また入出力インターフェース６３は、マウス６６の操作、キーボード部１０に設けられたキーボード６７の操作、押圧スイッチ１４、１９の状態、押圧スイッチ（ＳＷ）２０〜２２Ｕの操作を同様にして中央処理ユニット６５に通知する。また入出力インターフェース６３は、バス６４を介した中央処理ユニット６５の制御によりキーボード部１０に設けられた押圧スイッチ２０〜２２Ｕに内蔵の発光ダイオードを駆動し、また表示部３に設けられた液晶表示パネル（ＬＣＤ）８、スピーカ９Ｌ、９Ｒを駆動する。
【００３７】
ハードディスク装置（ＨＤＤ）６９は、このコンピュータ１のオペレーティングシステム、各種アプリケーションプログラム、各種コンテンツ、ドキュメント等を記録して保持する。通信部７０は、入出力インターフェースを介した中央処理ユニット６５の制御により、所定のネットワークに接続して種々のデータを入出力する。ＤＶＤ（Ｄｉｇｉｔａｌ  Ｖｉｄｅｏ  Ｄｉｓｋ）ドライブ７１、ＭＤ（Ｍｉｎｉ  Ｄｉｓｋ  ）ドライブ７２、メモリカードインターフェース（メモリカードＩ／Ｆ）７３は、それぞれ中央処理ユニット６５の制御により対応する記録媒体にデータを記録し、また記録したデータを再生して出力する。外部機器インターフェース（外部機器Ｉ／Ｆ）７４は、ＵＳＢのコネクタ７を介して外部機器との間で種々のデータを入出力し、チューナ７５は、コネクタ５を介してテレビジョン放送波、ＦＭ放送波を受信して映像コンテンツ、音楽コンテンツのデータを出力する。外部インターフェース（外部入力Ｉ／Ｆ）７６は、入出力端子６を介してこのような映像コンテンツ、音楽コンテンツのデータを外部機器との間で入出力する。
【００３８】
中央処理ユニット６５は、このコンピュータ１の起動により、リードオンリメモリ（ＲＯＭ）７８の記録に従って、ランダムアクセスメモリ（ＲＡＭ）７９にワークエリアを確保してハードディスク装置６９に記録されたデータを順次ロードしてハードディスク装置６９に記録されたオペレーティングシステムを立ち上げ、また続くユーザーによる一連の操作により、ハードディスク装置６９に記録された各種アプリケーションプログラムを立ち上げる。またこのようにして各種アプリケーションプログラムを立ち上げた状態で、ユーザーによる操作に応動して対応する処理を実行する。
【００３９】
これらの処理により中央処理ユニット６５は、ユーザーにより起動が指示されたアプリケーションプログラムのウインドウを表示部３で表示し、ユーザーによるマウス６６の操作によりこのウインドウの表示を拡大、縮小し、またこのウインドウに表示した各種ボタン等の操作を受け付ける。また複数のアプリケーションプログラムが起動された場合には、これらの各アプリケーションプログラムの処理にそれぞれ対応する複数ウインドウを表示してマルチタスクによりこれら複数のアプリケーションプログラムによる処理を同時並列的に実行する。またこのように複数のウインドウを表示して、これらのウインドウが重なり合う場合には、マウス等の操作によりフォーカスが設定されてなる側のウインドウをユーザーが見て取ることができるようにこれら複数のウインドウを表示する。
【００４０】
これらの処理において、中央処理ユニット６５は、ユーザーにより映像コンテンツ、音楽コンテンツに係るアプリケーションプログラムが立ち上げられると、ユーザーによる操作に応動してチューナ７５で受信した映像コンテンツ、音楽コンテンツを表示部３より出力する。またこのようにして受信した映像コンテンツ、音楽コンテンツをハードディスク装置６９に記録し、またＤＶＤドライブ７１、ＭＤドライブ７２、メモリカードインターフェース７３を介してそれぞれ対応する記録媒体に記録する。またこのようにして記録した映像コンテンツ、音楽コンテンツを再生して表示部３より出力する。
【００４１】
このコンピュータ１において、中央処理ユニット６５は、このようなコンテンツに係る特定アプリケーションプログラムについては、所定の制御プログラムである制御モジュールを介して制御し、これによりこれらのアプリケーションプログラムについてはリモートコマンダ１２の操作を主体としたユーザーインターフェースを実現し、使い勝手を向上してコンテンツを鑑賞し易くする。
【００４２】
すなわち図９は、このようなコンテンツに係る特定アプリケーションプログラムと制御モジュールとの関係を示す図表である。この制御モジュール８０においては、放送受信ソフト８１、ＤＶＤビデオソフト８２、ビデオ閲覧ソフト８３、音楽ソフト８４の動作を管理する。ここで放送受信ソフト８１は、チューナ７５の動作を制御して映像コンテンツ、音楽コンテンツを受信して表示部３より出力し、またこれらコンテンツをハードディスク装置６９に記録するアプリケーションプログラムであり、コンテンツの記録をタイマー録画によっても実行できるようになされている。またＤＶＤビデオソフト８２は、ＤＶＤドライブ７１の動作を制御してＤＶＤ、ＣＤに記録された映像コンテンツを再生して表示部３より出力するアプリケーションプログラムである。またビデオ閲覧ソフト８３は、ＤＶＤドライブ７１、ＭＤドライブ７２、メモリカードインターフェース７３の制御により、さらにはハードディスク装置６９の制御により、これらの記録媒体に記録した映像コンテンツを再生して表示部３より出力するアプリケーションプログラムである。また音楽ソフト８４は、同様に、ＤＶＤドライブ７１、ＭＤドライブ７２、メモリカードインターフェース７３の制御により、さらにはハードディスク装置６９の制御により、これらの記録媒体に記録した音楽コンテンツを再生して表示部３より出力し、またこのような音楽コンテンツをＭＤドライブ７２によりミニディスクに記録するアプリケーションプログラムである。
【００４３】
制御モジュール８０は、ユーザーによる所定の操作によりこれらのアプリケーションプログラムについては、全画面モードに動作モードを設定する。ここで全画面モードは、図１０（Ａ）の通常の起動時における表示との対比により図１０（Ｂ）に示すように、対応するアプリケーションプログラムに係るウインドウの表示より、操作に係るボタン、バー等の表示、縁取り等の表示を取り除いて、さらには表示画面の下部等に表示されるツールバーの表示を省略して、表示部３における表示可能領域の全画面にこのアプリケーションプログラムに係るウインドウ中の表示を拡大して表示する動作モードであり、例えば映像コンテンツの表示においては、テレビジョン受像機における表示と同一の表示を表示部３に形成する動作モードである。これによりこのコンピュータ１においては、コンテンツを鑑賞し易くするようになされている。
【００４４】
制御モジュール８０は、この全画面モードにおいては、この全画面モードに係るアプリケーションプログラムの表示を最も表側に表示し、この表示の背面側に配置されてなる他のアプリケーションプログラムのウインドウ等の表示については、ユーザーにより見て取られないようにする。また少なくともリモートコマンダ１２による操作については、この全画面モードに係るアプリケーションプログラムについてのみ、操作を受け付けるようになされ、この全画面モードのアプリケーションプログラム以外については、他のアプリケーションプログラムの処理の一次停止により、この全画面モードのアプリケーションプログラムに係るコンテンツの鑑賞を妨げる映像、音声の出力を中止する。これによってもこのコンピュータ１においては、コンテンツを鑑賞し易くするようになされている。
【００４５】
なおこの実施の形態において、これらアプリケーションプログラム８１〜８４、制御モジュール８０は、オペレーションシステムと共に、事前にコンピュータ１にインストールされて提供されるようになされている。しかしながら制御モジュール８０及びアプリケーションプログラム８１〜８４は、一体に、又はそれぞれ別体に、記録媒体、インターネット等のネットワークにより提供するようにしてもよい。なおこのような記録媒体においては、光ディスク、磁気テープ等、種々の記録媒体を広く適用することができる。
【００４６】
図１及び図１１は、全画面モードへの遷移に係る中央処理ユニット６５の処理手順を示すフローチャートである。中央処理ユニット６５は、この処理手順において、ステップＳＰ１からステップＳＰ２に移り、ここで制御モジュール８０による処理によりキーボード部１０に設けられた押圧スイッチ１９の状態を検出し、キーボード部１０が途中から折り畳まれたか否か判断する。ここで肯定結果が得られると、中央処理ユニット６５は、ステップＳＰ３に移り、既に、これらコンテンツの鑑賞に係る特定アプリケーションプログラム８１〜８４の何れかが全画面モードに設定されているか否か判断する。
【００４７】
ここで肯定結果が得られると、この場合、後述するユーザーによる操作により何れかのアプリケーションプログラム８１〜８４が既に全画面モードに設定され、この場合、ユーザーが単にキーボード部１０を途中から折り畳んだ場合と考えられることにより、ステップＳＰ４に移って現在の状態を維持し、続くステップＳＰ５において、この処理手順を終了する。
【００４８】
これに対してステップＳＰ３で否定結果が得られると、中央処理ユニット６５は、ステップＳＰ６に移り、放送受信ソフト８１によりコンテンツを鑑賞中か否か判断する。ここで肯定結果が得られると、中央処理ユニット６５は、ステップＳＰ７に移り、制御モジュール８０による制御により、この放送受信ソフト８１の動作モードを全画面モードによる動作モードに切り換えた後、ステップＳＰ５に移り、この処理手順を終了する。これによりこのコンピュータ１においては、この放送受信ソフト８１によりテレビジョン放送による映像コンテンツを鑑賞している場合には、単に、キーボード部１０を途中から折り畳むことにより、表示部３の全面にこの映像コンテンツを拡大して表示して、コンテンツを鑑賞し易くするようになされている。また制御モジュール８０により他のアプリケーションプログラムによる音声、映像の提供を中止し、これによりこの放送受信ソフト８１によるコンテンツの鑑賞に専念できるようになされ、これによっても従来に比してコンテンツを鑑賞し易くするようになされている。なおこの放送受信ソフト８１においては、ＦＭ放送等のコンテンツをユーザーに提供しているいる場合には、所定のアニメーション画像を表示するようになされており、これによりこのようにＦＭ放送等によるコンテンツの提供時において、全画面モードに動作を切り換えると、このアニメーション画像を全画面により表示するようになされている。これに対してテレビジョン放送を受信してユーザーに提供している場合には、全画面モードにおいて、テレビジョン放送による映像を全画面により表示し、また音声をユーザーに提供するようになされている。
【００４９】
これに対してステップＳＰ６で否定結果が得られると、この場合、中央処理ユニット６５は、制御モジュール８０による制御により、ステップＳＰ８に移る。ここで中央処理ユニット６５は、コンテンツを鑑賞可能に、放送受信ソフト８１を全画面モードにより起動した後、ステップＳＰ５に移る。これによりこの場合、このコンピュータ１においては、単に、キーボード部１０を途中で折り畳むだけで、放送によるコンテンツを全画面モードにより鑑賞可能に動作モードを切り換えることができるようになされ、簡易な操作により、従来に比して一段とコンテンツを鑑賞し易くするようになされている。
【００５０】
なお中央処理ユニット６５は、このようにしてキーボード部１０の折り畳みにより放送受信ソフト８１を全画面モードに設定した場合、チャンネル及び音量に係る押圧スイッチ２１Ｄ、２１Ｕ、２２Ｄ、２２Ｕの操作子を点灯し、押圧スイッチ２０については操作子を点灯しないようにし、またこれらに対応してリモートコマンダ１２の操作を受け付けて、音量、受信チャンネルを切り換える。
【００５１】
これに対してステップＳＰ２で否定結果が得られると、中央処理ユニット６５は、ステップＳＰ１０（図１１）に移る。ここで中央処理ユニット６５は、制御モジュール８０による制御によりリモートコマンダ１２においてソフト選択の操作子３６Ａが押圧操作されたか否か判断する。ここで肯定結果が得られると、中央処理ユニット６５は、ステップＳＰ１２に移り、メニューバーを表示済か否か判断する。
【００５２】
ここでメニューバーは、これら４つのアプリケーションプログラム８１〜８４について、選択可能なアプリケーションプログラムを示す表示であり、この実施の形態では、図１２（Ａ）に示すように、表示画面８の上部に棒状の領域が表示され、この棒状の領域において、左側より、コンテンツに係るこれら４つのアプリケーションプログラム８１〜８４にそれぞれ対応する押しボタンの表示Ｍ１〜Ｍ４が表示され、右端にこのメニューバーを閉じるメニュー（Ｃｌｏｓｅ）９０が表示される。
【００５３】
中央処理ユニット６５は、ステップＳＰ１２において、否定結果が得られると、ステップＳＰ１３に移り、このメニューバーを表示した後、ステップＳＰ２に戻る。中央処理ユニット６５は、このようにしてメニューバーを表示する際に、現在、これら４つのアプリケーションプログラム８１〜８４のうちで全画面モードにより動作中のアプリケーションプログラムが存在する場合、図１２（Ｂ）に示すように、対応する押しボタンの表示（この図１２（Ｂ）においては、符号Ｍ１による表示である）を、押しボタンが押圧操作されたような状態により表示し、またメニューバーを閉じるメニュー９０の左側にディスクトップの選択メニュー９１を表示する。また全画面モードに設定されていないアプリケーションプログラムの表示の１つ（図１２（Ａ）においては、符号Ｍ１の表示である）を他のアプリケーションプログラムの表示と識別可能に表示し、これによりこれらの表示の１つにフォーカスを設定して表示する。
【００５４】
これに対してステップＳＰ１２で肯定結果が得られると、中央処理ユニット６５は、ステップＳＰ１２からステップＳＰ１４に移り、押しボタンの表示Ｍ１〜Ｍ４、閉じるのメニュー９０の間で、フォーカスを順次循環的に切り換えた後、ステップＳＰ２に戻る。
【００５５】
これに対してステップＳＰ１１で否定結果が得られると、中央処理ユニット６５は、ステップＳＰ１１からステップＳＰ１５に移る。ここで中央処理ユニット６５は、リモートコマンダ１２において起動の操作子３６Ｂが押圧操作されたか否か判断し、ここで肯定結果が得られると、ステップＳＰ１６に移り、メニューバーを表示済か否か判断する。ここで否定結果が得られると、中央処理ユニット６５は、何ら対応する処理を実行することなくステップＳＰ２に戻る。これに対してステップＳＰ１６で肯定結果が得られると、中央処理ユニット６５は、ステップＳＰ１６からステップＳＰ１７に移り、現在、メニューバー上でフォーカスが設定されているボタンの表示に対応するアプリケーションプログラムを全画面モードにより起動した後、ステップＳＰ５に移ってこの処理手順を終了する。
【００５６】
これによりこのコンピュータ１においては、何らキーボード部１０を折り畳まなくても、リモートコマンダ１２における操作子３６Ａの操作によりメニューバーを表示した後、操作子３６Ａの繰り返しの押圧操作により所望するアプリケーションプログラムを選択し、起動の操作子３６Ｂを押圧操作することにより、コンテツの鑑賞に供するこれら４つのアプリケーションプログラムを選択的に起動することができるようになされている。しかしてこのアプリケーションプログラムの選択操作においては、全てリモートコマンダ１２の操作により実行し得、また操作子３６Ａの繰り返しの操作により操作子３６Ｂで選択可能なアプリケーションプログラムを順次切り換えることにより、あたかもトルグスイッチの操作感によりコンピュータ１の動作を切り換えることができる。これによりコンピュータ１においては、リモートコマンダ１２の主体的な操作により所望するアプリケーションプログラムを選択してコンテンツを鑑賞し得、またこのようなアプリケーションプログラムの選択においても、リモートコマンダ１２の主体的な操作により選択し得、これにより従来に比してコンテンツを鑑賞し易くすることができるようになされている。
【００５７】
なお中央処理ユニット６５において、このような操作子３６Ａの繰り返しの押圧により、メニューバーを閉じるメニュー９０が選択された状態で、選択の操作子３６Ｂが操作された場合には、アプリケーションプログラムを立ち上げることなく、メニューバーの表示を中止する。これに対して既に、全画面モードにより起動しているアプリケーションプログラムが存在する場合に、他のアプリケーションプログラムが選択された場合、それまでのアプリケーションプログラムの全画面モードによる動作を一時停止し、ユーザーにより選択されたアプリケーションプログラムを全画面モードにより起動する。
【００５８】
これに対してステップＳＰ１５で否定結果が得られると、中央処理ユニット６５は、ステップＳＰ１５からステップＳＰ１８に移る。ここで中央処理ユニット６５は、これらコンテンツの鑑賞に係る４つのアプリケーションプログラムのうち、現在起動されているアプリケーションプログラムにおいて、ウインドウに表示したメニューの操作により全画面モードへの切り換えが指示されたか否か判断する。ここで否定結果が得られると、中央処理ユニット６５は、ステップＳＰ１８からステップＳＰ２に戻る。これに対してステップＳＰ１８で肯定結果が得られると、中央処理ユニット６５は、対応するアプリケーションプログラムを全画面モードに切り換える。またこの場合において、制御モジュールが起動していない場合には、制御モジュール８０を起動し、以降のリモートコマンダ１２による操作については、制御モジュール８０を介してこの全画面モードに係るアプリケーションプログラムにリモートコマンダ１２の操作を通知する。
【００５９】
これによりこのコンピュータ１においては、従来と同様の各アプリケーションプログラムにおけるウインドウの操作によっても、全画面モードによりコンテンツを鑑賞し得るようになされ、これにより他のアプリケーションプログラムとの間で操作の統一性を図って使い勝手を向上するようになされている。
【００６０】
中央処理ユニット６５は、このようにして送受信ソフト８１以外のソフトについて、全画面モードにより動作を立ち上げた場合、送受信ソフト８１の起動可能を示す押圧スイッチ２０、音量の押圧スイッチ２２Ｄ、２２Ｕの操作子を点灯し、チャンネルの押圧スイッチ２１Ｄ、２１Ｕについては操作子を点灯しないようにする。またこれに対応してリモートコマンダ１２の操作を受け付けるようになされている。因みに、キーボード部１０を折り畳んでいない状態では、押圧スイッチ２０〜２２Ｕの操作子を全て消灯するようになされている。
【００６１】
また音楽ソフト８４については、アイコンによる表示において、所定のアニメーションを表示し、全画面モードにおいては、このアニメーションの表示を表示画面の全面により表示するようになされている。
【００６２】
またこのようにして全画面モードによりコンテンツの鑑賞に供するアプリケーションプログラムを起動して、常駐ソフト等による割り込みが通知されると、中央処理ユニット６５は、対応するメッセージを小さなウインドウにより表示し、ユーザーによるリモートコマンダ１２の決定の操作子５０の操作により、表示を中止する。なおこのような割り込みによる表示においては、例えばメールソフトによるメールの受信通知、ウイルス検出ソフト等の特定アプリケーションプログラムのアップロードを指示する通知、さらにはネットワークを介した特定コンテンツ等のダウンロードの終了通知等である。
【００６３】
図１３は、このような選定に係る全画面モードの解除に係る中央処理ユニット６５の処理手順を示すフローチャートである。中央処理ユニット６５は、この処理手順において、ステップＳＰ２１からステップＳＰ２２に移り、制御モジュール８０によるスイッチ１９の監視により、キーボード部１０が開かれたか否か判断する。ここで肯定結果が得られると、中央処理ユニット６５は、ステップＳＰ２３に移り、全画面モードを終了した後、ステップＳＰ２４に移る。中央処理ユニット６５は、このステップＳＰ２３における全画面モードの終了において、対応する全画面モードの設定前の状態に、全体の動作を戻す。すなわちこの全画面モードを終了するアプリケーションプログラムが全画面モードにより起動したものの場合、併せてこのアプリケーションプログラムを終了する。これに対してこのアプリケーションプログラムが、起動した後に動作モードを全画面モードに切り換えたものの場合、このアプリケーションプログラムの全画面モードの終了により、このアプリケーションプログラムを元のウインドウによる表示に切り換える。これに対してこのような全画面モードに係る現在のアプリケーションプログラムが、既に全画面モードによる他のアプリケーションプログラムが存在する場合に、この全画面モードによる他のアプリケーションプログラムの処理を一時停止して、全画面モードに設定したアプリケーションプログラムの場合、この他のアプリケーションプログラムを全画面モードに戻す。これによりこの実施の形態においては、キーボード部１０の操作により簡易に元の状態に復帰できるようになされている。
【００６４】
これに対してステップＳＰ２２で否定結果が得られると、中央処理ユニット６５は、ステップＳＰ２５に移る。ここで中央処理ユニット６５は、図１１の処理手順において詳述したメニューバーを表示した状態で、終了の操作子３６Ｃが操作されたか否か判断する。ここで肯定結果が得られると、中央処理ユニット６５は、同様にステップＳＰ２３に移り、全画面モードを終了して元の状態に復帰させた後、ステップＳＰ２４に移る。
【００６５】
これに対してステップＳＰ２５で否定結果が得られると、中央処理ユニット６５は、ステップＳＰ２６に移り、キーボードのＥＳＣキーが操作されたか否か、又は全画面表示に係る表示の上でマウス６６がダブルクリックされたか否か判断する。ここで肯定結果が得られると、中央処理ユニット６５は、ステップＳＰ２３に移るのに対し、否定結果が得られると、ステップＳＰ２２に戻る。
【００６６】
これに対して中央処理ユニット６５は、スイッチ１４によりキーボード部１０の根元部分からの折り畳みが検出されると、キーボード部１０を根元から折り畳んで露出する表示画面に時計を表示する。またユーザーによる操作に応動して、この状態で、音楽ソフト８４により音楽コンテンツを提供するようになされている。
【００６７】
（２）実施の形態の動作
以上の構成において、このコンピュータ１においては、通常のコンピュータと同様に、起動により、ハードディスク装置６９の記録が順次中央処理ユニット６５によりロードされてオペレーティングシステムが起動する。またユーザーによるマウス６６等によるポインティングデバイスの操作により、またキーボード部１０に設けられたキーボード６７の操作により、アプリケーションプログラムを立ち上げる。このときコンピュータ１においては、ユーザーにより複数のアプリケーションプログラムが立ち上げられた場合には、それぞれ対応するウインドウを表示部３の液晶表示パネル８に表示して、マルチタスクによりこれら複数のアプリケーションプログラムに係る処理を同時並列的に実行する。
【００６８】
これによりコンピュータ１においては、コンテンツを鑑賞するアプリケーションプログラムである放送受信ソフト８１、ＤＶＤビデオソフト８２、ビデオ閲覧ソフト８３、音楽ソフト８４の何れかがユーザーにより立ち上げられると、ウインドウを表示してこれらアプリケーションプログラムによるコンテンツをユーザーに提供する。この状態で、ユーザーによりこのアプリケーションプログラムに係るウインドウのメニューの選択により全画面モードが選択されると、このコンピュータ１においては、このウインドウ中にそれまで表示していた映像が、液晶表示パネル８の全面に表示される。これによりこのコンピュータ１においては、コンテンツを鑑賞する専用の装置であるテレビジョン受像機等と同一の表示サイズによりコンテンツを鑑賞することができ、その分、従来に比してコンテンツを鑑賞し易くすることができる。
【００６９】
このようにしてコンテンツに係る映像を拡大表示して、このコンピュータ１においては、他のアプリケーションプログラムの処理による映像、音声の提供が中止される。これにより例えば複数のアプリケーションプログラムによる音声が混在してユーザーに提供されるような状況を有効に回避し得、ユーザーにおいては、自らが選択したアプリケーションプログラムによるコンテンツの鑑賞に専念することができ、これによっても従来に比してコンテンツを鑑賞し易くすることができる。
【００７０】
またリモートコマンダ１２による操作については、このような全画面モードに係るアプリケーションプログラムについてのみ操作を受け付け、また例えばビデオ閲覧ソフト８３においてはリモートコマンダ１２、押圧スイッチ２０〜２２Ｕにおけるチャンネルのアップ、ダウンの操作を無視するように、この全画面モードにおけるアプリケーションプログラムにおいて操作可能な操作についてのみリモートコマンダ１２の操作を受け付ける。これによりコンピューター１では、リモートコマンダ１２の主体的な操作によりコンテンツを鑑賞することができ、これによっても従来に比してコンテンツを鑑賞し易くすることができる。
【００７１】
コンピュータ１においては、リモートコマンダ１２による操作によっても、またキーボード部１０を途中から折り畳むことによっても、このような全画面モードへの切り換えが実行される。すなわちリモートコマンダ１２の操作によりこのようなコンテンツの鑑賞に係る４つのアプリケーションプログラムの何れかを選択することにより、対応するアプリケーションプログラムが全画面モードに設定される。またこのようなコンテンツの鑑賞に係る４つのアプリケーションプログラムの何れかを実行してキーボード部１０を途中より折り畳むと、このアプリケーションプログラムが全画面モードに設定される。また何らこの種のアプリケーションプログラムを実行していない状態で、キーボード部１０を途中より折り畳むと、放送によるコンテンツをユーザーに提供する放送受信ソフト８１が全画面モードにより起動される。
【００７２】
これによりこのコンピュータ１においては、単にキーボード部１０を折り畳むだけで、それまで実行中のコンテンツの鑑賞に係るアプリケーションプログラムを全画面モードに設定してコンテンツを鑑賞することができ、さらには放送によりコンテンツを鑑賞するアプリケーションプログラムを全画面モードにより起動してコンテンツを鑑賞することができ、これによっても従来に比してコンテンツを鑑賞し易くすることができる。
【００７３】
またこのようなキーボード部１０の操作に代えて、リモートコマンダ１２の操作により、所望するコンテンツを鑑賞することができ、これによっても従来に比してコンテンツを鑑賞し易くすることができる。
【００７４】
またこのようなリモートコマンダ１２によるアプリケーションプログラムの選択が、押しボタンに似せた表示であり、選択の操作子３６Ａの操作によりこの表示をトルグスイッチのように切り換えることにより、リモートコマンダ１２を主体としたユーザーインターフェースによりユーザーによるアプリケーションプログラムの選択を受け付けることができ、これによっても従来に比してコンテンツを鑑賞し易くすることができる。
【００７５】
コンピュータ１においては、このようにして全画面モードに設定された後、全画面モードへの設定時とは逆に、キーボード部１０が広げられ、またはリモートコマンダ１２が操作され、またはキーボード６７、マウス６６が操作されると、現在全画面モードに設定されているアプリケーションプログラムの全画面モード設定前の元の状態に復帰する。
【００７６】
これによりこのコンピュータ１においては、簡易な操作により元の状態に復帰することができ、ユーザーによる使い勝手を向上することができる。
【００７７】
（３）実施の形態の効果
以上の構成によれば、所定の操作により全画面に映像を拡大して表示して、他の処理によるコンテンツの提供等を中止すると共に、この全画面による処理についてのみ操作を受け付けることにより、従来に比してコンテンツを鑑賞し易くすることができる。
【００７８】
またこのような全画面による表示を、キーボード部の途中からの折り畳みにより実行することにより、簡易な操作により従来に比してコンテンツを鑑賞し易くすることができる。
【００７９】
またこのような全画面による表示の処理が、リモートコマンダの操作により複数種類のコンテンツの鑑賞に供する処理より選択された処理であることにより、リモートコマンダの主体的な操作により所望するコンテンツを鑑賞することができ、これにより従来に比してコンテンツを鑑賞し易くすることができる。また全画面による処理についてのみ受け付ける操作がリモートコマンダの操作であることにより、リモートコマンダを主体としたユーザーインターフェースを提供し得、これによってもコンテンツを鑑賞し易くすることができる。
【００８０】
（４）他の実施の形態
なお上述の実施の形態においては、コンテンツの鑑賞に供する４つのアプリケーションプログラムについて、全画面モードに設定する場合について述べたが、本発明はこれに限らず、要は、各機能に対応して表示されるウインドウ毎に全画面モードを設定して、上述の実施の形態と同様の効果を得ることができる。これにより例えば上述した４つのアプリケーションプログラムに係る機能を統合して、各機能毎にウインドウを表示するようなアプリケーションプログラムについては、各機能毎に全画面モードに設定するようにして、上述の実施の形態と同様の効果を得ることができる。
【００８１】
また上述の実施の形態においては、放送に係るコンテンツ、ＤＶＤに記録したコンテンツ、各種記録媒体に記録したコンテンツ、音楽コンテンツをそれぞれユーザーに提供するアプリケーションプログラム８１〜８４について、全画面モードによりユーザーにコンテンツを提供する場合について述べたが、本発明はこれに限らず、種々のコンテンツをユーザーに提供する処理に広く適用することができる。なおこのような処理においては、コンピュータグラフィックスによるコンテンツを提供する場合、ライブによる映像コンテンツである所定の監視結果をユーザーに提供する場合等がある。またこのような処理に限らず、例えばコンテンツの提供に関連する情報の提供にも併せて適用することができる。なおこのようなコンテンツの提供に関連する情報の提供においては、例えばＥＰＧ（Ｅｌｅｃｔｒｏｎｉｃ  Ｐｒｏｇｒａｍ  Ｇｕｉｄｅ）の表示等がある。
【００８２】
また上述の実施の形態においては、全画面モードにおいて、ツールバー、メニューバー（図１２）の表示を中止する場合について述べたが、本発明はこれに限らず、実用上十分に映像を確認し得る場合は、これらツールバー等を表示するようにしてもよい。
【００８３】
また上述の実施の形態においては、キーボード部の途中からの折り畳み、リモートコマンダの操作、アプリケーションプログラムにおける操作により全画面モードに切り換える場合について述べたが、本発明はこれに限らず、例えばキーボード部に設けられた特定の操作子の操作により全画面モードに切り換える場合等、全画面モードへの切り換え、解除にあっては、種々の操作を広く適用することができる。
【００８４】
【発明の効果】
上述のように本発明によれば、所定の操作により拡大して映像を表示して、他の処理によるコンテンツの提供等を中止すると共に、拡大した表示に係る処理についてのみ操作を受け付けることにより、従来に比してコンテンツを鑑賞し易くすることができる。
【図面の簡単な説明】
【図１】本発明の実施の形態に係るコンピュータにおける全画面モードへの処理手順を示すフローチャートである。
【図２】本発明の実施の形態に係るコンピュータを示す斜視図である。
【図３】図２のコンピュータの右側面図である。
【図４】図３のコンピュータにおけるキーボード部の付け根部分を示す側面図である。
【図５】図３のコンピュータにおけるキーボード部の途中の部分を示す側面図である。
【図６】図３のコンピュータにおけるキーボード部の背面を示す平面図である。
【図７】図３のコンピュータのリモートコマンダを示す平面図である。
【図８】図３のコンピュータを示すブロック図である。
【図９】図３のコンピュータにおけるコンテンツ鑑賞用のアプリケーションプログラムと制御モジュールとの関係を示す図表である。
【図１０】全画面モードの説明に供する平面図である。
【図１１】図１の続きの処理手順を示すフローチャートである。
【図１２】メニューバーの説明に供する平面図である。
【図１３】全画面モードの解除の説明に供するフローチャートである。
【符号の説明】
１……コンピュータ、２……本体装置、３……表示部、８……液晶表示パネル、９Ｌ、９Ｒ……スピーカ、１０……キーボード部、１２……リモートコマンダ、１４、１９……スイッチ、２０〜２２Ｕ……押圧スイッチ、６０、６５……中央処理ユニット、８０……制御モジュール、８１……放送受信ソフト、８２……ＤＶＤビデオソフト、８３……ビデオ閲覧ソフト、８４……音楽ソフト
【図１】
2004318298.tif 000003
【図２】
2004318298.tif 000004
【図３】
2004318298.tif 000005
【図４】
2004318298.tif 000006
【図５】
2004318298.tif 000007
【図６】
2004318298.tif 000008
【図７】
2004318298.tif 000009
【図８】
2004318298.tif 000010
【図９】
2004318298.tif 000011
【図１０】
2004318298.tif 000012
【図１１】
2004318298.tif 000013
【図１２】
2004318298.tif 000014
【図１３】
2004318298.tif 000015